(57)【要約】【課題】複数台の長尺の照明器具を真っ直ぐにつなげた照明装置を提供することを課題とする。【解決手段】実施形態に係る照明装置１００は、複数台の照明器具１０を長手方向に連結して器具取付面Ｓに取り付けた構造を有する。この照明装置１００は、長手方向に隣接する照明器具１０の長手方向の端面同士を突き当てて、２つの照明器具を真っ直ぐに配置した状態で、連結金具３２を用いて連結することで構成される。そして、この連結金具３２を器具取付面Ｓから突設された吊りボルト３１に締結固定することで、照明装置１００を器具取付面Ｓに取り付ける。【選択図】      図２
2017059433.tif 000002
【特許請求の範囲】
【請求項１】
複数台の照明器具を長手方向に連結して器具取付面に取り付けた照明装置であって、
第１の照明器具と第２の照明器具を上記長手方向に真っ直ぐに配置するように、上記第１の照明器具の上記長手方向と直交する第１の端面と、上記第２の照明器具の上記長手方向と直交する第２の端面と、を突き当てた状態で連結する連結具と；
この連結具を上記器具取付面に固定して当該照明装置を固定する固定具と；
を有する照明装置。
【請求項２】
上記連結具は、
上記第１の照明器具の上記第１の端面を有する第１のシャーシに設けた第１の位置決め孔に挿通される第１の凸片と；
上記第２の照明器具の上記第２の端面を有する第２のシャーシに設けた第２の位置決め孔に挿通される第２の凸片と；
上記器具取付面から垂設されたボルトを通す取付孔と；
を有する請求項１の照明装置。
【請求項３】
上記連結具は、
上記取付孔を中央に有するとともに、上記長手方向の両端に上記第１の凸片と上記第２の凸片を有する板状部分と；
この板状部分の上記長手方向に沿った両端辺に設けた２つのリブと；
をさらに有する請求項２の照明装置。
【請求項４】
上記第１の照明器具は、上記第１の端面に形成された第１の切り欠きを有し、
上記第２の照明器具は、上記第２の端面に形成された第２の切り欠きを有し、
上記第１および第２の切り欠きは、上記第１の端面と上記第２の端面とを突き当てた状態で挿入孔を形成し、
上記ボルトは、上記挿入孔および上記取付孔に挿通される、
請求項２または請求項３の照明装置。
【請求項５】
上記第１および第２の照明器具は、上記器具取付面側に突設された複数のダボを有し、上記ダボの高さは、上記第１および第２の位置決め孔に挿通された上記第１および第２の凸片の突出長さよりも長い請求項２乃至請求項４の何れかの照明装置。
【発明の詳細な説明】
【技術分野】
【０００１】
本発明の実施形態は、複数台の長尺の照明器具を直線状に連結して器具取付面に取り付けた照明装置に関する。
【背景技術】
【０００２】
従来、２台の照明器具を長手方向に連結した連結金具を天井から吊下げたタイプの吊下げ式照明器具が知られている。
【先行技術文献】
【特許文献】
【０００３】
【特許文献１】特開２００４−５５３０５号公報
【発明の概要】
【発明が解決しようとする課題】
【０００４】
長尺の２台の照明器具を長手方向につなげて天井に取り付ける場合、２台の照明器具が長手方向に沿って真っ直ぐに並ぶように取り付けることが美観上好ましい。特に、３台以上の長尺の照明器具を直線状につなげて取り付ける場合、美観を確保するためには、隣接する照明器具同士を真っ直ぐに連結する必要がある。
【０００５】
しかし、上述した従来の吊下げ式照明器具では、複数台の照明器具を真っ直ぐに連結することを考慮しておらず、意匠性が低かった。
【０００６】
よって、複数台の長尺の照明器具を真っ直ぐにつなげた意匠性の高い照明装置の開発が望まれている。
【課題を解決するための手段】
【０００７】
実施形態に係る照明装置は、複数台の照明器具を長手方向に連結して器具取付面に取り付けた照明装置であって、第１の照明器具と第２の照明器具を長手方向に真っ直ぐに配置するように、第１の照明器具の長手方向と直交する第１の端面と、第２の照明器具の長手方向と直交する第２の端面と、を突き当てた状態で連結する連結具と、この連結具を器具取付面に固定して当該照明装置を固定する固定具と、を有する。
【発明の効果】
【０００８】
本発明によれば、複数台の長尺の照明器具を真っ直ぐにつなげることができ、意匠性を高めることができる。
【図面の簡単な説明】
【０００９】
【図１】図１は、実施形態に係る照明装置の断面図である。
【図２】図２は、図１の照明装置の連結構造を示す斜視図である。
【発明を実施するための形態】
【００１０】
以下、図面を参照しながら実施形態について詳細に説明する。  
図１は、実施形態に係る照明装置１００を示す断面図である。図２は、図１の照明装置１００の連結構造を示す斜視図である。本実施形態の照明装置１００は、複数台の照明器具１０を長手方向に連結して器具取付面Ｓに取り付けたものである。
【００１１】
照明器具１０は、図１に示すように、器具取付面Ｓに取り付ける器具本体２と、器具本体２に対して着脱可能な灯具４と、を有する。図１は、灯具４を器具本体２から分離した状態を示す。なお、本実施形態では、器具取付面Ｓは天井面であるが、壁面、コープ面などであってもよい。
【００１２】
器具本体２は、シャーシ１１および図示しない点灯回路を有する。図２では、２台の照明器具１０のシャーシ１１Ａ、１１Ｂの連結部分を図示している。シャーシ１１Ａ、１１Ｂは、図２に示すように、長尺の略四角筒状の構造を有し、下面側に長手方向に沿って延びた開口部１１ａを備えている。開口部１１ａの長手方向に沿った両側の縁部１１ｂ、１１ｂは、下方に向けて折り曲げられている。開口部１１ａおよび縁部１１ｂは、複数のシャーシ１１Ａ、１１Ｂ・・・を連結した状態で、照明装置１００の長手方向につながる。
【００１３】
灯具４は、図１に示すように、器具本体２のシャーシ１１に対し、開口部１１ａを塞ぐように取り付けられる。灯具４は、複数個のＬＥＤ光源２１を備えた基板２２、基板２２を取り付けた反射板２３、反射板２３に対向した投光カバー２４、および投光カバー２４を保持して反射板２３に締結固定したカバー枠２５を有する。
【００１４】
複数個のＬＥＤ光源２１は、矩形帯状の基板２２の長手方向（図１で紙面に垂直な方向）に沿って表面２２ａ上に並べて取り付けられている。複数個のＬＥＤ光源２１は、基板２２の中心に沿って配置される。基板２２の表面２２ａは、白色に塗装されている。基板２２は、反射板２３に取り付けられる。
【００１５】
反射板２３は、矩形の金属板を長手方向に沿った数カ所で折り曲げた構造を有する。反射板２３は、基板２２の裏面を接触させて支持する基板支持部２３ａ、基板支持部２３ａの長手方向に沿った両端辺から斜め下方に傾斜した傾斜部２３ｂ、および傾斜部２３ｂの外側に連続した円筒形の周壁部２３ｃを有する。基板２２は、熱伝導性の高い接着剤などを介して反射板２３の基板支持部２３ａに取り付けられる。反射板２３の基板２２を取り付けた表面は、白色に塗装されている。
【００１６】
投光カバー２４は、反射板２３の下方で基板２２の表面２２ａと平行に対向して配置される。投光カバー２４は、ガラス材により形成されている。投光カバー２４は、透明或いは白色の樹脂などの光拡散部材や、アクリル材などで構成しても良い。投光カバー２４は、複数個のＬＥＤ光源２１から射出された光を散乱させて透過するとともに、反射板２３によって反射された光を散乱させて透過し、広配光な拡散光を射出する。
【００１７】
カバー枠２５は、投光カバー２４の周縁部を保持する矩形枠状の構造を有する。カバー枠２５は、投光カバー２４の周縁部を反射板２３に押し付けるように挟む。カバー枠２５の周縁部にある円筒状の周壁部２５ａは、反射板２３の周壁部２３ｃの外側に重ねて配置され、複数本のネジ２６により反射板２３に締結固定される。投光カバー２４と反射板２３との間、および投光カバー２４とカバー枠２５との間には、それぞれ、矩形枠状のパッキン２７ａ、２７ｂが設けられている。なお、投光カバー２４をアクリルで構成した場合は、パッキン２７ａ、２７ｂは不要である。
【００１８】
器具本体２と灯具４との間には、コネクタ３が設けられている。コネクタ３は、器具本体２側の図示しない点灯回路を灯具４側の基板２２に電気的に接続する。
【００１９】
灯具４を器具本体２に取り付ける場合、まず、図１に矢印Ｔ１で示すように、反射板２３の周壁部２３ｃに設けた引っ掛け爪２８を器具本体２のシャーシ１１側の差し込み孔１２に差し込んで、灯具４を器具本体２に対して仮留めする。
【００２０】
この状態で、コネクタ３を接続して点灯回路を基板２２に電気的に接続する。
【００２１】
そして、灯具４の反射板２３の引っ掛け爪２８と反対側に設けたローレットネジ固定金具２９を器具本体２側のシャーシ１１の切り欠き孔１３に差し込む。この後、ローレットネジ１５をシャーシ１１の側方から挿通し、反射板２３の端縁に設けたローレットネジ固定金具２９に螺合する。ローレットネジ１５は、手作業により取り付け可能なネジである。
【００２２】
以下、シャーシ１１Ａ、１１Ｂの連結構造について説明する。  
複数台の照明器具１０を器具取付面Ｓに取り付けるため、図２に示すように、器具取付面Ｓから鉛直下方に吊りボルト３１が突出して設けられている。吊りボルト３１は、器具取付面材４０の上方に配置した図示しないアングルに固設され、器具取付面材４０を貫通して器具取付面Ｓから鉛直下方に突出している。
【００２３】
吊りボルト３１は、複数台の照明器具１０を長手方向に連結した場合、隣接するシャーシ１１の端部が重なる位置に配置される。よって、例えば、１０台の照明器具１０を連結して器具取付面Ｓに取り付ける場合、１１本の吊りボルト３１が照明器具１０の長さに等しいピッチで器具取付面Ｓに一直線に並べて設けられる。
【００２４】
これら複数本の吊りボルト３１を用いて、複数台の照明器具１０を長手方向に連結して器具取付面Ｓに取り付ける場合、まず、図２に示すように、複数のシャーシ１１の長手方向の端面同士を突き当てるように接触させる。各シャーシ１１の端面が長手方向と直交するため、端面同士が接触した突き当て面３０は、長手方向と直交する面である。
【００２５】
そして、シャーシ１１の開口部１１ａを介して連結金具３２（連結具）をシャーシ１１の内部に挿入し、吊りボルト３１に締結固定する。この際、吊りボルト３１とナット３３が、連結金具３２を器具取付面Ｓに固定する固定具として機能する。
【００２６】
各シャーシ１１の端部には、吊りボルト３１を挿通するための挿通孔３４が設けられている。吊りボルト３１は、シャーシ１１の突き当て面３０の位置でシャーシ１１に挿通される。このため、挿通孔３４は、第１のシャーシ１１Ａの端面に設けた半長円形の切り欠き３４ａと、第２のシャーシ１１Ｂの端面に設けた半長円形の切り欠き３４ｂと、を連結したものである。このように、吊りボルト３１の挿通孔３４を長円形にすることで、各照明器具１０の長手方向に沿った取り付け位置を微調整できる。
【００２７】
挿通孔３４を間に挟んだ長手方向の両側には、２つの位置決め孔３５ａ、３５ｂがシャーシ１１を貫通して設けられている。シャーシ１１Ａ側の位置決め孔３５ａは、切り欠き３４ａの突き当て面３０と反対側の内側に離間した位置に設けられている。シャーシ１１Ｂ側の位置決め孔３５ｂは、切り欠き３４ｂの突き当て面３０と反対側の内側に離間した位置に設けられている。各位置決め孔３５ａ、３５ｂは、後述する凸片３７ａ、３７ｂをほとんど遊びのない状態で挿通して受け入れるスリット状の孔である。
【００２８】
連結金具３２は、１枚の金属板を形状加工して折り曲げた構造を有する。連結金具３２は、中央に吊りボルト３１を挿通するための取付孔３６を有する矩形の板状部分３２ａを有する。取付孔３６は、吊りボルト３１をほとんど遊びの無い状態に挿通する円形の孔である。
【００２９】
板状部分３２ａの長手方向の両端縁部には、２つの凸片３７ａ、３７ｂが設けられている。２つの凸片３７ａ、３７ｂは、それぞれ、シャーシ１１Ａ、１１Ｂの位置決め孔３５ａ、３５ｂに向けて略直角に折り曲げられており、各位置決め孔３５ａ、３５ｂに挿通される。
【００３０】
連結金具３２の凸片３７ａをシャーシ１１Ａの位置決め孔３５ａに挿通するとともに、連結金具３２の凸片３７ｂをシャーシ１１Ｂの位置決め孔３５ｂに挿通することで、突き当て面３０で接触した２つのシャーシ１１Ａ、１１Ｂを真っ直ぐな状態に位置決め固定できる。
【００３１】
２つの凸片３７ａ、３７ｂは、シャーシ１１Ａ、１１Ｂに取り付けて器具取付面Ｓに締結固定した状態で、シャーシ１１の裏面側にわずかに突出する長さを有する。シャーシ１１の器具取付面Ｓ側（裏面側）には、複数のダボ１１ｃが突設されている。これら複数のダボ１１ｃは、器具取付面Ｓとシャーシ１１との間のスペーサとして機能する。つまり、ダボ１１ｃの高さ（シャーシ１１の裏面側からダボ１１ｃの頂部までの長さ）は、凸片３７ａ、３７ｂのシャーシ１１の裏面側に突出する長さよりも高く、器具取付面Ｓとシャーシ１１の裏面との間の隙間が、２つの凸片３７ａ、３７ｂの先端を突出させるための空間となる。
【００３２】
板状部分３２ａの長手方向に沿った両端辺には、シャーシ１１に向けて略直角に折り曲げられた２本のリブ３８が設けられている。これら２本のリブ３８は、連結金具３２をシャーシ１１Ａ、１１Ｂの連結部分に取り付けて器具取付面Ｓに締結固定した状態で、シャーシ１１の内面に当接して押圧される。このため、仮に、連結部分に対向した器具取付面Ｓに凹凸があった場合であっても、２つのシャーシ１１Ａ、１１Ｂを真っ直ぐに連結させることができる。
【００３３】
以上述べた一つの実施形態の照明装置１００によれば、隣接するシャーシ１１Ａ、１１Ｂの端面同士を当接させて真っ直ぐに配置した状態で連結金具３２を介して連結するようにしたため、長尺の照明器具１０を真っ直ぐな状態に連結することができる。特に、本実施形態によると、連結金具３２の凸片３７ａ、３７ｂをシャーシ１１Ａ、１１Ｂの位置決め孔３５ａ、３５ｂにそれぞれ挿通するようにしたため、隣接する２つのシャーシ１１Ａ、１１Ｂの端部同士を位置決め固定することができる。この際、位置決め孔３５ａ、３５ｂと凸片３７ａ、３７ｂとの間に遊びが殆ど無いため、ガタつきが殆ど無く、隣接するシャーシ１１同士を真っ直ぐに連結することができ、意匠性を高めることができる。
【００３４】
また、本実施形態によると、互いに対向するシャーシ１１Ａ、１１Ｂの端部に半長円形の切り欠き３４ａ、３４ｂを設けたため、シャーシ１１の連結部分を吊りボルト３１に取り付ける際、各シャーシ１１を吊りボルト３１の横方向から取り付けでき、取り付け作業を容易にでき、作業負担を低減でき、作業の安全性を高めることができ、作業時間を短縮することができる。
【００３５】
さらに、本実施形態によると、連結金具３２に２本のリブ３８を設けたため、連結金具３２を用いてシャーシ１１を器具取付面Ｓに締結固定した場合、２本のリブ３８をシャーシ１１の内面に押し付けることができ、隣接するシャーシ１１同士を真っ直ぐにそろえることができる。
【００３６】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【符号の説明】
【００３７】
２…器具本体、３…コネクタ、４…灯具、１０…照明器具、１１、１１Ａ、１１Ｂ…シャーシ、１１ｃ…ダボ、２１…ＬＥＤ光源、２２…基板、２３…反射板、２４…投光カバー、２５…カバー枠、３０…突き当て面、３１…吊りボルト、３２…連結金具、３２ａ…板状部分、３３…ナット、３４…挿通孔、３４ａ、３４ｂ…切り欠き、３５ａ、３５ｂ…位置決め孔、３６…取付孔、３７ａ、３７ｂ…凸片、３８…リブ、４０…器具取付面材、１００…照明装置、Ｓ…器具取付面。
【図１】
2017059433.tif 000003
【図２】
2017059433.tif 000004